【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
式Ｉ：
【化１】
2010500449.tif 000001
（式中、
Ｒfは、少なくとも１個の酸素原子によって任意選択で中断されている約１個〜約２０個の炭素原子を有する直鎖もしくは分岐のパーフルオロアルキル基、またはそれらの混合物であり、
Ｘ3は酸素またはＸ1であり、
Ｘ1はそれぞれ独立して、酸素、窒素、もしくは硫黄、またはそれらの組合せを任意選択で含む、約１個〜約２０個の炭素原子を有する２価の有機連結基であり、
ＧはＦまたはＣＦ3であり、
Ａはアミドであり、
ｊは０または正の整数であり、
Ｘ2は有機連結基であり、
ＹはＯ、Ｎ、またはＳであり、
ＹがＮである場合、ｈは０であり、ＹがＯまたはＳである場合、ｈは１であり、
ＺはＨ、約１個〜約４個の炭素原子を有する直鎖もしくは分岐のアルキル基、またはハロゲン化物であり、
ＢはＨまたは
【化２】
2010500449.tif 000002
であり、ここで
Ｒf、Ｘ1、Ｘ3、Ｇ、Ａ、およびｊは上記に定義する通りであり、ただしＢがＨである場合、ｊは正の整数であることを条件とし、
ｍは正の整数であり、
ＹがＯである場合、ｑは０または正の整数であり、ＹがＮまたはＳである場合、ｑは正の整数であり、
ＹがＯである場合、ｐは０または正の整数であり、ＹがＮまたはＳである場合、ｐは正の整数であり、
Ｗはそれぞれ独立して、
【化３】
2010500449.tif 000003
または［Ｒ1−Ｘ1−Ｙ−Ｃ（Ｏ）−Ｃ（Ｚ）−ＣＨ2］であり、
ここで
Ｘ1、Ｙ、およびＺは上記に定義する通りであり、
ＲｘはＣ（Ｏ）Ｏ（Ｒ1）、Ｃ（Ｏ）Ｎ（Ｒ2）2、ＯＣ（Ｏ）（Ｒ1）、ＳＯ2（Ｒ1）、Ｃ6（Ｒ3）5、Ｏ（Ｒ1）、ハロゲン化物、またはＲ1であり、
Ｒ1はそれぞれ独立して、Ｈ、ＣnＨ2n+1、ＣnＨ2n−ＣＨ（Ｏ）ＣＨ2、［ＣＨ2ＣＨ2Ｏ］iＲ4、［ＣnＣ2n］Ｎ（Ｒ4）2、または［ＣnＨ2n］ＣnＦ2n+1であり、
ｎは１〜４０であり、
Ｒ4はＨまたはＣsＨ2s+1であり、
ｓ＝０〜４０であり、
ｉ＝１〜２００であり、
Ｒ2はそれぞれ独立して、ＨまたはＣtＨ2t+1であり、ここでｔは１〜２０であり、
Ｒ3はそれぞれ独立して、Ｈ、ＣＯＯＲ1、ハロゲン、Ｎ（Ｒ1）2、ＯＲ1、ＳＯ2ＮＨＲ1、ＣＨ＝ＣＨ2、またはＳＯ3Ｍであり、ここでＲ1は上記に定義する通りであり、
ＭはＨ、アルカリ金属塩、アルカリ土類金属塩、またはアンモニウムである）
のいずれかの配列の繰返し単位を有するコポリマーを含むことを特徴とする組成物。
【請求項２】
式２：
【化４】
2010500449.tif 000004
（式中、
Ｒfは、少なくとも１個の酸素原子によって任意選択で中断されている約１個〜約２０個の炭素原子を有する線状パーフルオロアルキル基、またはそれらの混合物であり、
Ｘ3は酸素またはＸ1であり、
Ｘ1はそれぞれ独立して、酸素、窒素、もしくは硫黄、またはそれらの組合せを任意選択で含む、約１個〜約２０個の炭素原子を有する２価の有機連結基であり、
ＧはＦまたはＣＦ3であり、
Ａはアミドであり、
ｊは０または正の整数であり、ただし、ＹがＮである場合、ｊは正の整数であることを条件とし、
Ｘ2は有機連結基であり、
ＹはＯ、Ｎ、またはＳであり、
ＹがＮである場合、ｈは０であり、ＹがＯまたはＳである場合、ｈは１であり、
ＺはＨ、約１個〜約４個の炭素原子を有する直鎖もしくは分岐のアルキル基、またはハロゲン化物であり、
ＢはＨまたは
【化５】
2010500449.tif 000005
であり、ここで
Ｒf、Ｘ1、Ｘ3、Ｇ、Ａ、およびｊは上記に定義する通りである）
を含むことを特徴とする組成物。
【請求項３】
式３：
【化６】
2010500449.tif 000006
（式中、
Ｒfは、少なくとも１個の酸素原子によって任意選択で中断されている約１個〜約２０個の炭素原子を有する線状パーフルオロアルキル基、またはそれらの混合物であり、
Ｘ3は酸素またはＸ1であり、
Ｘ1はそれぞれ独立して、酸素、窒素、もしくは硫黄、またはそれらの組合せを任意選択で含む、約１個〜約２０個の炭素原子を有する２価の有機連結基であり、
ＧはＦまたはＣＦ3であり、
Ａはアミドであり、
ｊは０または正の整数であり、ただし、ＹがＮである場合、ｊは正の整数であることを条件とし、
Ｘ2は有機連結基であり、
ＹはＯ、Ｎ、またはＳであり、
ＹがＮである場合、ｈは０であり、ＹがＯまたはＳである場合、ｈは１であり、
ＺはＨ、約１個〜約４個の炭素原子を有する直鎖もしくは分岐のアルキル基、またはハロゲン化物であり、
ＢはＨまたは
【化７】
2010500449.tif 000007
であり、ここで
Ｒf、Ｘ1、Ｘ3、Ｇ、Ａ、およびｊは上記に定義する通りであり、Ｅはヒドロキシル、アミン、ハロゲン、およびチオールからなる群から選択され、ただしＥがアミンである場合、ｈは０であり、Ｅがアミン以外である場合、ｈは１であることを条件とする）
を含むことを特徴とする組成物。
【請求項４】
撥水性および撥油性を基材に付与する方法であって、前記基材と請求項１に記載の組成物とを接触させるステップを含むことを特徴とする方法。
【請求項５】
請求項１に記載の組成物が塗布されていることを特徴とする基材。
【手続補正２】
【補正対象書類名】明細書
【補正対象項目名】０１１５
【補正方法】変更
【補正の内容】
【０１１５】
表３のデータから、実施例は先行技術と類似またはそれより良好であることが実証された。綿の場合、実施例３および４は、４個の炭素を有するパーフルオロアルキル鎖長を有し、したがってこれは、撥水性の下限を表すが、優れた撥油性をもたらした。ナイロンの場合、比較例Ｂはパーフルオロアルキル鎖中に８個の炭素を有し、撥水性について４個または６個の炭素を有する本発明の実施例は類似していた。ナイロンの場合、撥油性について本発明の実施例は優れていた。
本出願は、特許請求の範囲に記載の発明を含め以下の発明を包含する。
（１）  式Ｉ：
【化８】
2010500449.tif 000008
（式中、
Ｒfは、少なくとも１個の酸素原子によって任意選択で中断されている約１個〜約２０個の炭素原子を有する直鎖もしくは分岐のパーフルオロアルキル基、またはそれらの混合物であり、
Ｘ3は酸素またはＸ1であり、
Ｘ1はそれぞれ独立して、酸素、窒素、もしくは硫黄、またはそれらの組合せを任意選択で含む、約１個〜約２０個の炭素原子を有する２価の有機連結基であり、
ＧはＦまたはＣＦ3であり、
Ａはアミドであり、
ｊは０または正の整数であり、
Ｘ2は有機連結基であり、
ＹはＯ、Ｎ、またはＳであり、
ＹがＮである場合、ｈは０であり、ＹがＯまたはＳである場合、ｈは１であり、
ＺはＨ、約１個〜約４個の炭素原子を有する直鎖もしくは分岐のアルキル基、またはハロゲン化物であり、
ＢはＨまたは
【化９】
2010500449.tif 000009
であり、ここで
Ｒf、Ｘ1、Ｘ3、Ｇ、Ａ、およびｊは上記に定義する通りであり、ただしＢがＨである場合、ｊは正の整数であることを条件とし、
ｍは正の整数であり、
ＹがＯである場合、ｑは０または正の整数であり、ＹがＮまたはＳである場合、ｑは正の整数であり、
ＹがＯである場合、ｐは０または正の整数であり、ＹがＮまたはＳである場合、ｐは正の整数であり、
Ｗはそれぞれ独立して、
【化１０】
2010500449.tif 000010
または［Ｒ1−Ｘ1−Ｙ−Ｃ（Ｏ）−Ｃ（Ｚ）−ＣＨ2］であり、
ここで
Ｘ1、Ｙ、およびＺは上記に定義する通りであり、
ＲｘはＣ（Ｏ）Ｏ（Ｒ1）、Ｃ（Ｏ）Ｎ（Ｒ2）2、ＯＣ（Ｏ）（Ｒ1）、ＳＯ2（Ｒ1）、Ｃ6（Ｒ3）5、Ｏ（Ｒ1）、ハロゲン化物、またはＲ1であり、
Ｒ1はそれぞれ独立して、Ｈ、ＣnＨ2n+1、ＣnＨ2n−ＣＨ（Ｏ）ＣＨ2、［ＣＨ2ＣＨ2Ｏ］iＲ4、［ＣnＣ2n］Ｎ（Ｒ4）2、または［ＣnＨ2n］ＣnＦ2n+1であり、
ｎは１〜４０であり、
Ｒ4はＨまたはＣsＨ2s+1であり、
ｓ＝０〜４０であり、
ｉ＝１〜２００であり、
Ｒ2はそれぞれ独立して、ＨまたはＣtＨ2t+1であり、ここでｔは１〜２０であり、
Ｒ3はそれぞれ独立して、Ｈ、ＣＯＯＲ1、ハロゲン、Ｎ（Ｒ1）2、ＯＲ1、ＳＯ2ＮＨＲ1、ＣＨ＝ＣＨ2、またはＳＯ3Ｍであり、ここでＲ1は上記に定義する通りであり、
ＭはＨ、アルカリ金属塩、アルカリ土類金属塩、またはアンモニウムである）
のいずれかの配列の繰返し単位を有するコポリマーを含むことを特徴とする組成物。
（２）  式２：
【化１１】
2010500449.tif 000011
（式中、
Ｒfは、少なくとも１個の酸素原子によって任意選択で中断されている約１個〜約２０個の炭素原子を有する線状パーフルオロアルキル基、またはそれらの混合物であり、
Ｘ3は酸素またはＸ1であり、
Ｘ1はそれぞれ独立して、酸素、窒素、もしくは硫黄、またはそれらの組合せを任意選択で含む、約１個〜約２０個の炭素原子を有する２価の有機連結基であり、
ＧはＦまたはＣＦ3であり、
Ａはアミドであり、
ｊは０または正の整数であり、ただし、ＹがＮである場合、ｊは正の整数であることを条件とし、
Ｘ2は有機連結基であり、
ＹはＯ、Ｎ、またはＳであり、
ＹがＮである場合、ｈは０であり、ＹがＯまたはＳである場合、ｈは１であり、
ＺはＨ、約１個〜約４個の炭素原子を有する直鎖もしくは分岐のアルキル基、またはハロゲン化物であり、
ＢはＨまたは
【化１２】
2010500449.tif 000012
であり、ここで
Ｒf、Ｘ1、Ｘ3、Ｇ、Ａ、およびｊは上記に定義する通りである）
を含むことを特徴とする組成物。
（３）  式３：
【化１３】
2010500449.tif 000013
（式中、
Ｒfは、少なくとも１個の酸素原子によって任意選択で中断されている約１個〜約２０個の炭素原子を有する線状パーフルオロアルキル基、またはそれらの混合物であり、
Ｘ3は酸素またはＸ1であり、
Ｘ1はそれぞれ独立して、酸素、窒素、もしくは硫黄、またはそれらの組合せを任意選択で含む、約１個〜約２０個の炭素原子を有する２価の有機連結基であり、
ＧはＦまたはＣＦ3であり、
Ａはアミドであり、
ｊは０または正の整数であり、ただし、ＹがＮである場合、ｊは正の整数であることを条件とし、
Ｘ2は有機連結基であり、
ＹはＯ、Ｎ、またはＳであり、
ＹがＮである場合、ｈは０であり、ＹがＯまたはＳである場合、ｈは１であり、
ＺはＨ、約１個〜約４個の炭素原子を有する直鎖もしくは分岐のアルキル基、またはハロゲン化物であり、
ＢはＨまたは
【化１４】
2010500449.tif 000014
であり、ここで
Ｒf、Ｘ1、Ｘ3、Ｇ、Ａ、およびｊは上記に定義する通りであり、Ｅはヒドロキシル、アミン、ハロゲン、およびチオールからなる群から選択され、ただしＥがアミンである場合、ｈは０であり、Ｅがアミン以外である場合、ｈは１であることを条件とする）
を含むことを特徴とする組成物。
（４）  Ｒfが、式Ｆ（ＣＦ2ＣＦ2）nを有するパーフルオロアルキル基であって、ｎは２〜約２０であるもの、またはそれらの混合物であることを特徴とする（１）、（２）、または（３）に記載の組成物。
（５）  ｎが３または６であることを特徴とする（４）に記載の組成物。
（６）  Ｘ1が、直鎖、分岐鎖、または環式のアルキレン、フェニル、アリーレン、アラルキレン、スルホニル、スルホキシ、スルホンアミド、カーボンアミド、カルボニルオキシ、ウレタニレン、ウレイレン、およびそれらの組合せからなる群から選択されることを特徴とする（１）、（２）、または（３）に記載の組成物。
（７）  Ｘ2がＲ5Ｃであり、Ｒ5はＨまたはＣ1〜Ｃ4アルキルであることを特徴とする（１）、（２）、または（３）に記載の組成物。
（８）  Ｗが、
【化１５】
2010500449.tif 000015
であり、ＲxはＣ（Ｏ）Ｏ（Ｒ1）、Ｃ（Ｏ）Ｎ（Ｒ2）2、Ｃ6（Ｒ3）5、またはハロゲン化物であることを特徴とする（１）に記載の組成物。
（９）  水性分散液または溶液の形であることを特徴とする（１）に記載の組成物。
（１０）  Ａ）ノーアイロン性、アイロンの掛け易さ、防縮性、防しわ性（wrinkle free）、パーマネントプレス、調湿性、柔軟性、強度、すべり防止性、帯電防止性、ほつれ防止性、抗毛玉性、防しみ性、しみ除去性、防汚性、汚れ除去性、撥水性、撥油性、防臭性、抗菌性、または日焼け防止性である表面効果をもたらす作用剤、
Ｂ）界面活性剤、酸化防止剤、光堅牢剤、色堅牢剤、水、ｐＨ調整剤、架橋剤、濡れ剤、エクステンダー、発泡剤、加工助剤、潤滑剤、ブロックトイソシアネート、および非フッ素化エクステンダー、または
Ｃ）それらの組合せ
の少なくとも１つをさらに含むことを特徴とする（１）に記載の組成物。
（１１）  任意選択のモノマーに由来する繰返し単位をさらに含み、前記モノマーは、Ｎ−メチロール（メタ）アクリレート、ヒドロキシアルキル（メタ）アクリレート、アルキルオキシ（メタ）アクリレート、フッ素化（メタ）アクリレート、（メタ）アクリル酸グリシジル、アクリル酸ステアリル、アミノアルキルメタクリレート塩酸塩、アクリルアミド、アルキルアクリルアミド、酢酸ビニル、ステアリン酸ビニル、アルキルビニルスルホン、スチレン、ビニル安息香酸、アルキルビニルエーテル、無水マレイン酸、塩化ビニリデン、塩化ビニル、およびオレフィンからなる群から選択されることを特徴とする（１）に記載の組成物。
（１２）  撥水性および撥油性を基材に付与する方法であって、前記基材と（１）、（１０）、または（１１）に記載の組成物とを接触させるステップを含むことを特徴とする方法。
（１３）  （１）、（１０）、または（１１）に記載の組成物が塗布されていることを特徴とする基材。